(57)【要約】      （修正有）【課題】工具を使用しないでバンドとバンド係合手段の接続を簡単に引き外し可能な腕時計のバンド係合手段を提供する。【解決手段】インナーベンディングプレートは、板体と二つの円柱体からなり、二つの円柱体は板体の一端に固定され、且つ遠端の両端面にネジ穴を形成し、板体は、円柱体が設置された端の他端にスルーホールが形成され、その側面に凸状釦が突設され、アウトベンディングプレートは、中間に溝が挟まれ、溝に分けられた一端に同軸線のスルーホールが設置され、該スルーホールはリベットによりインナーベンディングプレートのスルーホールと枢接され、該アウトベンディングプレートは一体に連結された一端にバンドと枢接するためのもう一つのスルーホールが形成され、溝の内側壁面に凹状釦が形成され、カバーは、ネジによりネジ穴と枢接され、その両側板にスルーホールを設置し、弾性軸を介してこのスルーホールに相対的に独立回動できる。【選択図】図１
0003111940.tif 000002
【実用新案登録請求の範囲】
【請求項１】
カバーと、インナーベンディングプレートと、アウトベンディングプレートと、ネジと、リベット及び弾性軸とを備え、
前記インナーベンディングプレートは、円弧状の板体と二つの円柱体を有し、前記二つの円柱体は一つの軸線またはほぼ一つの軸線にて前記板体の一端に固定され、且つこの二つの円柱体の遠端の両端面にネジ穴が形成され、前記板体は他端にスルーホールが形成されるとともに、板体の両側にそれぞれ凸状釦が突設され、
前記アウトベンディングプレートは、所定の厚さを持った円弧状のベンディングプレートであり、中間に溝が挟まれ、溝に分けられた一端に同軸線のスルーホールが設置され、該スルーホールは前記リベットにより前記インナーベンディングプレートのスルーホールと枢接され、該アウトベンディングプレートは溝が一体に連結された一端にバンドと枢接するためのもう一つのスルーホールが形成され、溝の内側壁面に前記凸状釦と嵌め合せるための凹状部が形成されており、
前記カバーは、ネジにより前記インナーベンディングプレートのネジ穴と枢接され、且つその両側板に同軸線に位置したスルーホールが設けられた快速にバンドと着脱可能な腕時計のバンド係合手段であって、
前記カバーは、両側板の同軸線に位置したスルーホールに前記弾性軸を介して相対的に独立回転でき、且つバンドと連結するためのフックキャッチとロックキャッチが枢設され、前記ロックキャッチは前記フックキャッチの中間に嵌られていることを特徴とする快速にバンドと着脱可能な腕時計のバンド係合手段。
【請求項２】
前記フックキャッチは金属板からなり、該金属板は、その一端には、中間にスリットを有する二つのソケットリングが曲げられていると共に、該二つのソケットリングの外側の縁に回動角度を制御するための舌片が延在され、他端には、剪断加工によりバンドと連結するための二つのフックが曲げられていることを特徴とする請求項１に記載の快速にバンドと着脱可能な腕時計のバンド係合手段。
【請求項３】
前記ロックキャッチは金属板からなり、該金属板は、その一端にソケットリングが曲げられており、該ソケットリングの幅は前記フックキャッチの二つのソケットリングの間に形成されたスリットの幅より小さく、他端は前記フックと配合してバンドを係合するための係合キャッチに折り曲げられていることを特徴とする請求項２に記載の快速にバンドと着脱可能な腕時計のバンド係合手段。
【請求項４】
前記アウトベンディングプレートはリベットによりバンドと枢接され、且つ該リベットにおいて、アウトベンディングプレートの両外側に安全覆板が設けられていることを特徴とする請求項１〜３の何れか1項に記載の快速にバンドと着脱可能な腕時計のバンド係合手段。
【請求項５】
前記安全覆板は横断面がU字形の金属筐体であり、該金属筐体の両側板はその後ろへと前記リベットと枢接するための舌片が延在され、且つ該両側板に前記ネジと係合して連結するための凹溝が形成されていることを特徴とする請求項４に記載の快速にバンドと着脱可能な腕時計のバンド係合手段。
【請求項６】
前記金属筐体はその上部に手で開けるための凸片が一体成形されていることを特徴とする請求項５に記載の快速にバンドと着脱可能な腕時計のバンド係合手段。
【請求項７】
前記安全覆板とバンドとの間に間隔片が枢設されていることを特徴とする請求項４に記載の快速にバンドと着脱可能な腕時計のバンド係合手段。
【請求項８】
前記金属筐体の両側板において内部へ突起された突起が設けられ、この突起に対応して、前記カバーの両側板にスルーホールが形成されていることを特徴と請求項４に記載の快速にバンドと着脱可能な腕時計のバンド係合手段。
【考案の詳細な説明】
【技術分野】
【０００１】
本考案は、腕時計のバンド係合手段に関し、具体的に、バンドと着脱可能な腕時計のバンド係合手段に関するものである。
【背景技術】
【０００２】
従来、金属製腕時計のバンド係合手段は、構造が複雑で、部品点数が多くて、組付けやメンテナンスにおいて非常に不便である。
【０００３】
この状況に応じて、構造が簡単で、部品点数が少なく、且つ容易に製造及び組付けできる腕時計のバンド係合手段が登場されている。
【０００４】
例えば、特許文献１に公開された「金属製腕時計のバンド係合手段のアセンブリ」である。
【０００５】
該特許によるバンド係合手段の構造は既に普及されており、且つ使用者の愛顧を受けている。
【特許文献１】中国特許第９９２００２６９．９号
【考案の開示】
【考案が解決しようとする課題】
【０００６】
しかし、経済の発展に従い、羅針儀と文字盤を兼具した腕時計などのマルチファンクション腕時計が開発されてきた。
【０００７】
このような特殊機能をもった腕時計は特別なバンド、バンド係合手段が要求されている。
【０００８】
羅針儀を使用する際はそれを水平に放置しなければならないため、バンドを引き外す必要がある。
【０００９】
ところが、従来のバンド、バンド係合手段又は特許文献１に公開されたバンド係合手段の構造である場合は、バンドとバンド係合手段とを引き外すためには工具を使用しなければならないため、使い勝手が良くないで、組み立てる際も面倒である。
【００１０】
以上に鑑み、本考案の発明者は当業界での多年間の実務経験に基づき、鋭意研究及び開発に努めた結果、ついに工具を使用しないで腕時計のバンドとバンド係合手段との接続を快速に引き外し可能なバンド係合手段を開発された。
【課題を解決するための手段】
【００１１】
本考案の主な目的は、従来工具を使用しなければバンド係合手段が引き外せない問題を解決でき、工具を使用しないでバンドとバンド係合手段の接続を簡単に引き外し可能な腕時計のバンド係合手段を提供することにある。
【００１２】
本考案の他の目的は、自らはずして、腕時計を落してしまう恐れがなくなるバンド係合手段を提供することにある。
【００１３】
本考案は、カバー、インナーベンディングプレート、アウトベンディングプレート、ネジ、リベット及び弾性軸を備え、インナーベンディングプレートは、円弧状の板体と二つの円柱体を有し、前記二つの円柱体は一つの軸線またはほぼ一つの軸線にて前記板体の一端に固定され、且つこの二つの円柱体の遠端の両端面にネジ穴を形成し、前記板体は他端にスルーホールを形成すると同時に、板体の両側にそれぞれ凸状釦が突設され、前記アウトベンディングプレートは、所定の厚さを持った円弧状のベンディングプレートであり、中間に溝が挟まれ、溝に分けられた一端に同軸線のスルーホールが設置され、該スルーホールはリベットにより前記インナーベンディングプレートのスルーホールと枢接され、該アウトベンディングプレートは溝が一体に連結された一端にバンドと枢接するためのもう一つのスルーホールを形成し、溝の内側壁面に前記凸状釦と嵌め合せるための凹状部を形成しており、前記カバーは、ネジにより前記インナーベンディングプレートのネジ穴と枢接され、その両側の板に同軸線に位置したスルーホールを設置した快速にバンドと着脱可能な腕時計のバンド係合手段であって、前記カバーは、両側の板の同軸線に位置したスルーホールに前記弾性軸を介して相対的に独立回転でき、且つバンドと連結するためのフックキャッチとロックキャッチを枢設し、前記ロックキャッチは前記フックキャッチの中間に嵌られている。
【００１４】
前記フックキャッチは金属板からなり、該金属板は、その一端には、中間にスリットを有する二つのソケットリングが曲げられていると共に、該二つのソケットリングの外側の縁に回動角度を制御するための舌片が延在され、他端には、剪断操作によりバンドと連結するための二つのフックが曲げられている。
【００１５】
前記ロックキャッチは金属板からなり、該金属板は、その一端にソケットリングが曲げられており、該ソケットリングの幅は前記フックキャッチの二つのソケットリングの間に形成されたスリットの幅より小さく、他端は前記フックと配合してバンドを係合するための係合キャッチに折り曲げられている。
【００１６】
前記アウトベンディングプレートはリベットによりバンドと枢接され、且つ該リベットにおいて、アウトベンディングプレートの両外側に安全覆板を設けている。
【００１７】
前記安全覆板は横断面がU字形の金属筐体であり、該金属筐体の両側板はその後ろへと前記リベットと枢接するための舌片が延在され、且つ該両側板に前記ネジと係合して連結するための凹溝が形成されている。
【００１８】
前記金属筐体はその上部に手で開けるための凸片が一体形成されている。
【００１９】
前記安全覆板とバンドとの間に間隔片が枢設されている。
【００２０】
前記金属筐体の両側板において内部へ突起された突起が設けられ、この突起に対応して、前記カバーの両側板にスルーホールが形成されている。
【考案の効果】
【００２１】
本考案によるバンドと快速着脱できる腕時計のバンド係合手段は、従来の腕時計におけるバンド係合手段とバンドとの連結個所に手動で着脱可能なフックキャッチとロックキャッチを増設することによって現存の問題を解決する。
【００２２】
また、本考案によるバンド係合手段は、安全覆板を増設することによって使用する際の安全性を確保し、バンドの自らの外しで腕時計を落してしまう問題を効率よく防止することができる。
【考案を実施するための最良の形態】
【００２３】
以下、図面について、本考案の一実施の形態を詳述する。
【実施例】
【００２４】
図1及び図2に示されたように、本考案によるバンド係合手段は、インナーベンディングプレート1と、アウトベンディングプレート2と、カバー3と、安全覆板4と、フックキャッチ5と、ロックキャッチ6と、ネジ7と、リベット8と、弾性軸9とを有する。
【００２５】
インナーベンディングプレート1はアウトベンディングプレート2に嵌られ、図6と図8に示されたように、それぞれインナーベンディングプレート1とアウトベンディングプレート2に設けられた凸状釦15と凹状釦24とによりファストンされ、一つのベンディングプレートとなり、カバー3はネジ7を介して可動にインナーベンディングプレート1と連結され、ネジ7を軸にして少し回動できる。
【００２６】
且つ、カバー3はその内側に弾性軸9に嵌ってフックキャッチ5とロックキャッチ6が設けられ、フックキャッチ5は弾性軸9を軸として少し回動でき、ロックキャッチ6は弾性軸9を軸として割合大幅に回動でき、フックキャッチ5によってバンド18と連結されると共に、ロックキャッチ6によってファストンされる。
【００２７】
このバンド係合手段とバンド18の連結を引きはずす場合、図14に示されたように、先ずロックキャッチ6を開けてロックキャッチ6を割合大きい角度で回転させ、バンド18をフックキャッチ5の二つのフック54から取り出すことで完成される。
【００２８】
本考案において、バンド係合手段の他端はアウトベンディングプレート2を介してバンドと連結される。
【００２９】
図7と図8に示されたように、インナーベンディングプレート1は金属材料製で、円弧状の板体10と二つの円柱体11、12から構成され、円柱体11、12は溶接または一体成形により板体10の一端に設けられ、同軸線に置けられ、また、同軸線に置けられなくてもよい。
【００３０】
該二つの円柱体11、12はいずれも遠端の端面にネジ穴13が設けられ、板体10の他端にスルーホール14が設けられ、且つ、板体10の両側にそれぞれ凸状釦15が凸設されている。
【００３１】
図5および図6に示されたように、アウトベンディングプレート2は金属材料により一体成形され、所定の厚さを持った円弧状のベンディングプレートであり、中間に溝20が挟まれ、この溝20に分けられた一端に同軸線のスルーホール22が設けられ、一体に連結された一端にもう一つのスルーホール23が設けられ、該スルーホール23はリベット80を介してバンドと連結される。
【００３２】
図1に示されたように、アウトベンディングプレート2はスルーホール23に隣接した一端の内側に凹状釦24が対称に設けられている。
【００３３】
スルーホール22はリベット8を介してインナーベンディングプレート1のスルーホール14と連結して、インナーベンディングプレート1を溝20に嵌め込ませ、且つリベット8の両端をスルーホール22にタイトフィットさせる。
【００３４】
また、スルーホール14の直径がリベット8の直径よりやや大きく、溝20の幅がインナーベンディングプレート1の板体10の幅よりやや広いため、インナーベンディングプレート1が溝20において自由に回動できる。
【００３５】
インナーベンディングプレート1とアウトベンディングプレート2の形状、屈曲度、厚さは互いに対応又は一致し、インナーベンディングプレート1は両側の凸状釦15とアウトベンディングプレート2の両内側の凹状釦24を嵌合させることによりインナーベンディングプレート1とアウトベンディングプレート2との相対位置が決められ、一つのベンディングプレートになる。
【００３６】
この時、インナーベンディングプレート1はその円柱体11、12によりアウトベンディングプレート2の凸縁25に搭載され、全体としてきれいな外観になる。
【００３７】
図11および図12に示されたように、フックキャッチ5は金属板からなり、該金属板は、その一端においてスリット50を挟んで二つのソケットリング51、52が曲げられ、この二つのソケットリング51、52の外側縁に回動角度を制御するための舌片53が延在され、また、他端に剪断加工により二つのフック54が曲げられ、フック54により腕時計のバンドと連結され、簡単に着脱できる目的を達成する。
【００３８】
図13に示されたように、ロックキャッチ6も金属板からなり、該金属板は、その一端にソケットリング60が曲げられており、該ソケットリング60はフックキャッチの二つのソケットリング51、52の間のスリット50より幅がやや狭く、ロックキャッチ6が弾性軸9を介してフックキャッチ5のソケットリング51、52の間に嵌められた時自由に回動できるようにする。
【００３９】
該金属板の他端は係合キャッチ61に屈折形成され、該係合キャッチ61がフック54と配合して、腕時計のバンドをバンド係合手段にしっかりロッキングすることができる。
【００４０】
図3及び図4に示されたように、カバー3は、その横断面がU形状で、一端の両側板33に同軸線のスルーホール30が設けられ、他端に複数のスルーホール31が等間隔で設けられ、インナーベンディングプレート1の二つの円柱体11、12のネジ穴13がネジ7によりカバー3のスルーホール30と枢接される。
【００４１】
対応する一組のスルーホール31に弾性軸9が設置されている。
【００４２】
複数のスルーホール31を設けるのはバンドの長さを調節して、異なる顧客のご利用に満足するためである。
【００４３】
弾性軸9にフックキャッチ5とロックキャッチ6とが穿設され、フックキャッチ5の舌片53はカバー3の内表面に触接され、フックキャッチ5をやや小さい角度で回転させ、ロックキャッチ6は逆方向にフックキャッチ5のスリット50の中間に嵌められ、弾性軸9を軸として回動でき、ロックキャッチ6の係合キャッチ61とフック54との係合により、フック54をバンドとしっかりと係合させる。
【００４４】
図1、図9及び図10に示されたように、カバー3の誤りオープンによりフックキャッチ5とロックキャッチ6がバンドから離脱しやすくすることを防止するために、リベット80において、バンドの両側に安全覆板4が枢設されている。
【００４５】
該安全覆板4は横断面がU形の金属筐体であり、該金属筐体の両側板40には後ろへとリベット80と枢接するための舌片41が延設され、且つ、両側板40にネジ7と係合するための凹溝42が形成されると共に、その上部に手でオープンするための凸片43が一体に成形されている。
【００４６】
なお、舌片41とバンドとの磨耗を防止するために、舌片41とバンドとの間に間隔片が枢設されている。
【００４７】
図1及び図3に示されたように、安全覆板4は両側板40の内側に凸起45が設けられ、この凸起45と対応して、カバー3の両側板33のスルーホール30に隣接した個所にスルーホール35が設けられている。
【００４８】
本考案におけるバンド係合手段は使用する際に、一端はアウトベンディングプレート2によりバンドと連結され、他端はフックキャッチ5、ロックキャッチ6によりバンドと連結される。
【００４９】
また、アウトベンディングプレート2によるバンドとの連結は別途工具を利用して着脱する必要があるが、フックキャッチ5、ロックキャッチ6によるバンドとの連結は手だけで簡単に着脱できるものである。
【００５０】
さらに、安全覆板4の係合により、カバー3が容易にオープンできないように確保し、フックキャッチ5とバンドとがしっかり連結されることを確実に実現できる。
【産業上の利用可能性】
【００５１】
本考案は腕時計のバンドに利用できる。
【図面の簡単な説明】
【００５２】
【図１】本考案によるバンド係合手段の概略側面図である。
【図２】本考案によるバンド係合手段の概略平面図である。
【図３】本考案におけるカバーの概略側面図である。
【図４】本考案におけるカバーの概略平面図である。
【図５】本考案におけるアウトベンディングプレートの概略側面図である。
【図６】本考案におけるアウトベンディングプレートの概略平面図である。
【図７】本考案におけるインナーベンディングプレートの概略側面図である。
【図８】本考案におけるインナーベンディングプレートの概略平面図である。
【図９】本考案における安全覆板の概略側面図である。
【図１０】本考案における安全覆板の概略平面図である。
【図１１】本考案におけるフックキャッチの概略側面図である。
【図１２】本考案におけるフックキャッチの概略平面図である。
【図１３】本考案におけるロックキャッチの概略側面図である。
【図１４】本考案におけるバンドの支動作の概略図である。
【符号の説明】
【００５３】
１……インナーベンディングプレート、２……アウトベンディングプレート、３……カバー、４……安全覆板、５……フックキャッチ、６……ロックキャッチ、７……ネジ、８……リベット、９……弾性軸、１０……板体、１１、１２……円柱体、１３……ネジ穴、１４……スルーホール、１５……凸状釦、１８……バンド、２０……溝、２２、２３、３０、３１、３５……スルーホール、２４……凹状釦、２５……凸縁、３３、４０……両側板、４２……凹溝、４３……凸片、４５……凸起、５０……スリット、５１、５２……ソケットリング、５３……舌片、５４……フック、６０……ソケットリング、６１……係合キャッチ、８０……リベット。
【図１】
0003111940.tif 000003
【図２】
0003111940.tif 000004
【図３】
0003111940.tif 000005
【図４】
0003111940.tif 000006
【図５】
0003111940.tif 000007
【図６】
0003111940.tif 000008
【図７】
0003111940.tif 000009
【図８】
0003111940.tif 000010
【図９】
0003111940.tif 000011
【図１０】
0003111940.tif 000012
【図１１】
0003111940.tif 000013
【図１２】
0003111940.tif 000014
【図１３】
0003111940.tif 000015
【図１４】
0003111940.tif 000016